(57)【要約】【課題】  温度変化によって使用感が変動せず、かつ、デッドスペースを狭くできるとともに、コストの低減を図ることのできる開閉補助装置、および家具を提供すること。【解決手段】  開閉補助装置において、抽斗を閉じる際の動作がラックとピニオンを介して制動歯車２１２に伝達されて制動歯車２１２が回転すると、その遠心力によって、ウエイト２１３が拡径して摺動部材２１３が円筒状被摺動面６０５に接触する。このため、抽斗は、摺動部材２１３と円筒状被摺動面６０５との間に発生する摩擦力により減速するので、抽斗を静かに閉めることができる。【選択図】    図４
2006311964.tif 000002
【特許請求の範囲】
【請求項１】
可動部分を少なくとも家具本体に対して閉じる際の動作を補助するための開閉補助装置であって、
前記可動部分を閉じる際に当該可動部分を減速させる閉側ダンパ機構を有し、
当該閉側ダンパ機構は、前記可動部分の閉動作に連動して回転する回転体と、該回転体が回転したときの遠心力により縮径状態から拡径状態に変位する可動片部と、該可動片部が拡径したときに接触して摩擦力を発生させる被摺動部とを備えていることを特徴とする開閉補助装置。
【請求項２】
請求項１において、前記閉側ダンパ機構では、前記可動片部が前記縮径状態と前記拡径状態とに変位する際の支点からみて、前記可動片部における前記被摺動部との接触位置が当該支点から前記可動片部の重心位置と同一の側にあって、当該支点から前記接触位置までの距離が当該支点から前記重心位置までの距離よりも短いことを特徴とする開閉補助装置。
【請求項３】
請求項２において、前記閉側ダンパ機構では、前記可動部分の閉方向へ移動方向に沿って、前記支点、前記接触位置および前記重心位置がこの順に配置されていることを特徴とする開閉補助装置。
【請求項４】
請求項１ないし３のいずれかにおいて、前記可動部分を閉方向の途中位置から閉方向に自動的に駆動する閉駆動装置を備え、
当該閉駆動装置は、前記家具本体側に形成された係合部と、前記係合部と係合可能な被係合部を備え、前記可動部分に対して開方向および閉方向で相対移動可能な閉側トリガ部材と、該閉側トリガ部材と前記可動部分とを接続し、前記可動部分を前記閉側トリガ部材に対して閉方向に付勢するための閉用バネと、前記可動部分が開方向に移動している途中で前記係合部と前記被係合部との係合を解除して前記閉側トリガ部材と前記可動部分とを開方向に一体移動させるとともに前記閉用バネの変形状態を保持し、前記可動部分が閉方向に移動する途中で前記係合部と前記被係合部とを係合させるとともに前記閉用バネを開放して当該閉用バネの付勢力による前記可動部分の閉方向の移動を開始させる切換機構とを備え、
前記閉側ダンパ機構は、前記可動部材が前記閉駆動装置によって閉方向に移動する際、当該可動部材を減速させることを特徴とする開閉補助装置。
【請求項５】
請求項４において、前記切換機構では、前記係合部と前記被係合部との係合の解除と前記閉用バネの変形状態の保持とが略同時に行われ、前記係合部と前記被係合部との係合と前記閉用バネの開放とが略同時に行われることを特徴とする開閉補助装置。
【請求項６】
請求項１ないし５のいずれかにおいて、前記可動部分を開方向に移動させた際、開方向の途中位置から前記可動部材の移動速度を低下させる開側ダンパ機構を有し、
当該開側ダンパ機構は、前記可動部分の開動作に連動して回転する回転体と、該回転体が回転したときの遠心力により縮径状態から拡径状態に変位する部と、該可動片部が拡径したときに摺動して摩擦力を発生させる被摺動部とを備えていることを特徴とする開閉補助装置。
【請求項７】
請求項１ないし６のいずれかに規定する開閉補助装置を備えていることを特徴とする家具。
【請求項８】
請求項７において、前記可動部分は抽斗であることを特徴とする家具。
【請求項９】
請求項８において、前記開閉補助装置は、前記閉用バネとして前記閉側トリガ部材の両側の各々にコイルバネを備え、
前記開閉補助装置は、前記抽斗の底面側のうち、当該抽斗の幅方向における略中央位置に１つ、配置されていることを特徴とする家具。
【請求項１０】
家具本体に対して開閉可能な抽斗を備えた家具において、
前記抽斗を閉じる際に当該抽斗を減速させるダンパ機構を備えた開閉補助装置が、前記抽斗の底面側のうち、当該抽斗の幅方向における略中央位置に１つ、配置されていることを特徴とする家具。
【発明の詳細な説明】
【技術分野】
【０００１】
本発明は、抽斗などの可動部分を開閉する際の動作を補助する開閉補助装置、およびこの開閉補助装置を備えた家具に関するものである。
【背景技術】
【０００２】
抽斗などの可動部分を開閉する際の動作を補助する開閉補助装置としては、抽斗と、この抽斗を左右両側でガイドするスライド機構との間の各々に、シリンダとピストンとを備えたオイルダンパ装置を配置したものが提案されている（例えば、特許文献１参照）。
【特許文献１】特開２００１−２４５７３８号公報
【発明の開示】
【発明が解決しようとする課題】
【０００３】
しかしながら、上記特許文献に記載の技術では、オイルダンパ装置を用いているため、抽斗と左右両側のスライド機構との間の各々にダンパ装置を組み込まざるを得ないので、デッドスペースが大きく、かつ、高価であるという問題点がある。
【０００４】
また、上記特許文献に記載の技術では、オイルダンパ装置を用いているため、温度変化によってオイルの粘度が変化し、朝晩や季節などの温度変化によって使用感が著しく変動するという問題点がある。
【０００５】
以上の問題点に鑑みて、本発明の課題は、デッドスペースを狭くでき、かつ、コストの低減を図ることのできる開閉補助装置、およびこの開閉補助装置を備えた家具を提供することにある。
【０００６】
また、本発明の課題は、温度変化によって使用感が変動しずらい開閉補助装置、およびこの開閉補助装置を備えた家具を提供することにある。
【課題を解決するための手段】
【０００７】
上記課題を解決するために、本発明では、可動部分を少なくとも家具本体に対して閉じる際の動作を補助するための開閉補助装置において、前記可動部分を閉じる際に当該可動部分を減速させる閉側ダンパ機構を有し、当該閉側ダンパ機構は、前記可動部分の閉動作に連動して回転する回転体と、該回転体が回転したときの遠心力により縮径状態から拡径状態に変位する可動片部と、該可動片部が拡径したときに接触して摩擦力を発生させる被摺動部とを備えていることを特徴とする。
【０００８】
本発明では、抽斗などの可動部分が閉方向に移動する際に回転体が回転すると、その遠心力によって、可動片部が拡径して被摺動部に接触する。このため、可動片部と被摺動部との間に発生する摩擦力により可動部分が減速するので、可動部分を静かに閉めることができる。また、可動片部と被摺動部との間に発生する摩擦力を利用するので、オイルダンパを利用した場合と違って、小型で安価であるため、デッドスペースを狭くでき、かつ、コストの低減を図ることができる。しかも、このようなダンパ機構であれば、オイルダンパと違って、環境温度が変化しても使用感が変動しないという利点がある。
【０００９】
本発明において、前記閉側ダンパ機構では、前記可動片部が前記縮径状態と前記拡径状態との切り換わる際の支点からみて、前記可動片部における前記被摺動部との接触位置が当該支点から前記可動片部の重心位置と同一の側にあって、当該支点から前記接触位置までの距離が、当該支点から前記重心位置までの距離よりも短いことが好ましい。このように構成すると、閉側ダンパ機構は、小型であっても大きな摩擦力を発生させる。
【００１０】
本発明において、前記閉側ダンパ機構では、前記可動部分の閉方向へ移動方向に沿って、前記支点、前記接触位置および前記重心位置がこの順に配置されていることが好ましい。このように構成すると、閉側ダンパ機構は、可動部分が閉方向に移動した際、大きな摩擦力を発生させる一方、可動部分が開方向に移動する際の摩擦力が極めて小さいという利点がある。このため、可動部分がいずれの方向に移動するかによって、閉側ダンパ機構を作動状態と非作動状態に切り換えるクラッチ機構が不要である。
【００１１】
本発明において、前記可動部分を閉方向の途中位置から閉方向に自動的に駆動する閉駆動装置を備える場合、当該閉駆動装置は、例えば、前記家具本体側に形成された係合部と、前記係合部と係合可能な被係合部を備え、前記可動部分に対して開方向および閉方向で相対移動可能な閉側トリガ部材と、該閉側トリガ部材と前記可動部分とを接続し、前記可動部分を前記閉側トリガ部材に対して閉方向に付勢するための閉用バネと、前記可動部分が開方向に移動している途中で前記係合部と前記被係合部との係合を解除して前記閉側トリガ部材と前記可動部分とを開方向に一体移動させるとともに前記閉用バネの変形状態を保持し、前記可動部分が閉方向に移動する途中で前記係合部と前記被係合部とを係合させるとともに前記閉用バネを開放して当該閉用バネの付勢力による前記可動部分の閉方向の移動を開始させる切換機構とを備え、前記閉側ダンパ機構は、前記可動部材が前記閉駆動装置によって閉方向に移動する際、当該可動部材を減速させる。
【００１２】
本発明において、前記切換機構は、前記係合部と前記被係合部との係合の解除と前記閉用バネの変形状態の保持とが略同時に行われ、前記係合部と前記被係合部との係合と前記閉用バネの開放とが略同時に行われることが好ましい。
【００１３】
本発明において、前記可動部分を開方向に移動させた際、開方向の途中位置から前記可動部材の移動速度を低下させる開側ダンパ機構を有し、当該開側ダンパ機構は、前記可動部分の開動作に連動して回転する回転体と、該回転体が回転したときの遠心力により縮径状態から拡径状態に変位する可動片部と、該可動片部が拡径したときに摺動して摩擦力を発生させる被摺動部とを備えていることが好ましい。
【００１４】
本発明を適用した開閉補助装置を備えた家具において、前記可動部分は、例えば、抽斗である。この場合、前記開閉補助装置は、前記閉用バネとして前記閉側トリガ部材の両側の各々にコイルバネを備え、前記開閉補助装置は、前記抽斗の底面側のうち、当該抽斗の幅方向における略中央位置に１つ、配置されていることが好ましい。閉側トリガ部材の両側の各々に前記閉用バネとしてコイルバネを配置すれば、可動部分を傾かせることなく移動させることができるので、開閉補助装置は、前記抽斗の底面側のうち、当該抽斗の幅方向における略中央位置に１つ、配置すればよい。それ故、開閉補助装置を狭い空間内に配置でき、かつ、低コスト化を図ることができる。
【００１５】
本発明の別の形態では、家具本体に対して開閉可能な抽斗を備えた家具において、前記抽斗を閉じる際に当該抽斗を減速させるダンパ機構を備えた開閉補助装置が、前記抽斗の底面側のうち、当該抽斗の幅方向における略中央位置に１つ、配置されていることを特徴とする。本発明では、開閉補助装置を抽斗の底面側に１つ、配置したため、デッドスペースを狭くでき、かつ、コストの低減を図ることができる。
【発明の効果】
【００１６】
本発明では、抽斗などの可動部分が閉方向に移動する際に回転体が回転すると、その遠心力によって、可動片部が拡径して被摺動部に接触する。このため、可動片部と被摺動部との間に発生する摩擦力により可動部分が減速するので、可動部分を静かに閉めることができる。また、可動片部と被摺動部との間に発生する摩擦力を利用するので、オイルダンパを利用した場合と違って、小型で安価であるため、デッドスペースを狭くでき、かつ、コストの低減を図ることができる。しかも、このようなダンパ機構であれば、オイルダンパと違って、環境温度が変化しても使用感が変動しないという利点がある。
【００１７】
また、開閉補助装置を抽斗の底面側に１つ、配置すれば、デッドスペースを狭くでき、かつ、コストの低減を図ることができる。
【発明を実施するための最良の形態】
【００１８】
図面を参照して、本発明を適用した開閉補助装置および家具を説明する。
【００１９】
図１（ａ）、（ｂ）、（ｃ）はそれぞれ、本発明を適用した開閉補助装置を備えた家具の平面的なレイアウトを示す横断面図、この家具において可動部分としての抽斗を閉めた状態における縦断面図、および抽斗を開いた状態における縦断面図である。図２（ａ）、（ｂ）、（ｃ）、（ｄ）はそれぞれ、本発明を適用した開閉補助装置の平面的なレイアウトを示す説明図、側面図、縦断面図、および開側ダンパ機構を通る位置で切断したときの縦断面図である。
【００２０】
図１（ａ）、（ｂ）、（ｃ）に示す家具１は、例えば流し台であり、家具本体１０１に対して開閉可能な抽斗１０２を備えている。家具本体１０１には、抽斗１０２が挿入されるスペースが確保されており、このスペースの左右両側には、抽斗１０２を開閉する際に抽斗１０２のローラ１０３を支持しながらガイドするレール１０４（スライド機構）が構成されている。家具本体１０１と抽斗１０２との間には、以下に説明する開閉補助装置２が構成されており、本形態において、開閉補助装置２は、抽斗１０２の底面側のうち、抽斗１０２の幅方向における中央部分に、１つ配置されている。開閉補助装置２は、抽斗１０２を閉める際の動作を補助するためのものであり、本形態では、抽斗１０２を開ける際の動作も補助するようになっている。
【００２１】
（開閉補助装置の構成）
図１（ａ）、（ｂ）、（ｃ）および図２（ａ）、（ｂ）、（ｃ）に示すように、家具本体１０１において、抽斗１０２が挿入されるスペースの奥側正面には、フック機構４０が構成されている。このフック機構４０は、図２（ａ）、（ｂ）、（ｃ）に示すように、家具本体１０１側にボルトで止められたプレート４０５と、このプレート４０５に形成された支軸４１９と、支軸４１９に対して回転可能に支持されたフック４００（係合部）と、このフック４００を付勢するネジリコイルバネ４１８とを備えている。フック４００には、湾曲部分４１０と、軸４１１と、支軸４１９が嵌る軸穴と、プレート４０５に当接してフック４００のある程度以上の回転を阻止する回転規制部４１６とが構成され、ネジリコイルバネ４１８により常に回転規制部４１６側に付勢されている。
【００２２】
図１（ａ）、（ｂ）、（ｃ）に示すように、抽斗１０２の底面にはハウンジング４が取り付けられ、このハウジング４は、抽斗１０２と完全に一体となって開方向Ｏおよび閉方向Ｃに移動する。図２（ｂ）、（ｃ）に示すように、ハウジング４は、下ケース６と、この下ケース６と所定の間隔を隔てて対向する上ケース５とを備えている。
【００２３】
図２（ａ）、（ｃ）に示すように、下ケース６と上ケース５との間には、平板状の閉側トリガ部材７が配置され、図２（ａ）では、閉側トリガ部材７に斜線を付してその平面形状を表してある。下ケース６と上ケース５との間には、抽斗１０２をその閉まり際で自動的に引き込む閉駆動装置２０と、抽斗１０２を閉じる際、その閉まり際で減速を行う閉側ダンパ機構２１と、抽斗１０２を開く際、その開き際で開時の衝撃を吸収するための開側ダンパ機構３０とが構成されている。
【００２４】
ここで、閉側ダンパ機構３０は、閉側トリガ部材７に形成されたラック７０４、このラック７０４と噛み合うピニオンを備えた歯車２１０、この歯車２１０と噛み合う制動歯車２１１、この制動歯車２１１の周りを囲む円筒状被摺動面６０５などを利用して構成されている。
【００２５】
開側ダンパ機構３０は、ラック１４０を備えた開側トリガ部材１４、その基端側に配置された制動バネ１５、ラック１４０と噛み合うピニオンを備えた歯車３１０、この歯車３１０と噛み合う制動歯車３１１、この制動歯車３１１の周りを囲む円筒状被摺動面６０９などを利用して構成されている。
【００２６】
閉駆動装置２０は、閉側トリガ部材７、フック４００、このフック４００が係合する軸７０５、閉用バネ１３などにより構成されており、この閉駆動装置２０には、抽斗１０２の移動方向に延びるストッパ８、このストッパ８に形成されたバネ保持溝８０１に配置されたストッパバネ９などによって、抽斗１０２をその閉まり際で自動的に引き込むタイミングを制御する切換機構２２が構成されている。
【００２７】
より具体的に説明する。まず、上ケース５および下ケース６には各々、同形状のスライドガイド溝５０１ａ、５０１ｂ、６０１ａ、６０１ｂが対向する位置に形成されており、閉側トリガ部材７の軸７０１、７０２がスライドガイド溝５０１ａ、５０１ｂ、６０１ａ、６０１ｂの内側を移動するようになっている。また、上ケース５および下ケース６には各々、同一の略Ｌ字形状をもつスライドガイド溝５０２、６０２が対向する位置に形成されており、ストッパ８の軸８０４は、スライドガイド溝５０２、６０２の内側を移動するようになっている。このようにして、閉側トリガ部材７は、ハウジング４に対して保持され、かつ、ハウジング４に対して開方向および閉方向に相対移動可能である。
【００２８】
閉側トリガ部材７には、歯車２１０のピニオンと噛み合う動力伝達用のラック７０４、フック４００の軸４１１に当接するフック当接カム７０６、フック４００が係合する軸７０５、およびストッパ支持軸７０７とが形成されている。
【００２９】
ストッパ８には、バネ保持溝８０１が形成されており、このバネ保持溝８０１にはストッパ支持軸７０が嵌り、かつ、ストッパバネ９がバネ保持溝８０１に装着されている。このため、ストッパ８は、ストッパバネ９の圧縮力で片側に押さえつけられている。ここで、ストッパ８の端部８０３は、軸７０５が嵌る略Ｕ形状を備えている。
【００３０】
下ケース６の開側の端部において、その左右両側にはバネ掛け部６１０が各々形成されている。これに対して、閉側トリガ部材７の閉側の端部には、その左右両側にバネ掛け部７０３が各々形成され、バネ掛け部７０３とバネ掛け部６１０との間には各々、閉駆動装置２０において抽斗１０２を閉方向に駆動する付勢力を発揮するコイルバネからなる閉用バネ１３が掛けられている。
【００３１】
また、下ケース６には、スライドガイド溝６０６が形成され、このスライドガイド溝６０６には、開側トリガ部材１４の基端側が配置されているとともに、制動バネ１５が配置されている。
【００３２】
（ダンパ機構の構成）
図３（ａ）、（ｂ）は、本発明を適用した開閉補助装置に用いたダンパ機構の縦断面図および底面図である。図４は、本発明を適用した開閉補助装置に用いたダンパ機構の分解斜視図である。
【００３３】
図２（ａ）、図３（ａ）、（ｂ）、図４において、下ケース６には、歯車３１０および制動歯車２１１の回転中心軸６０３、６０４が保持され、かつ、制動歯車２１１の周囲には円筒状被摺動面６０５が形成されている。また、下ケース６には、歯車３１０および制動歯車３１１の回転中心軸６０７、６０８が保持され、かつ、制動歯車３１１の周囲には、円筒状被摺動面６０９が形成されている。
【００３４】
ここで、歯車２１０、制動歯車２１１（回転体）、制動歯車２１１上で摺動部材２１３を保持するウエイト２１２（可動片部）、および円筒状被摺動面６０５（被摺動部）は、抽斗１０２を閉じる際、その減速を行う閉側ダンパ機構２１を構成している。また、歯車３１０、制動歯車３１１（回転体）、制動歯車２１１上で摺動部材３１３を保持するウエイト３１２（可動片部）、および円筒状被摺動面６０９（被摺動部）は、抽斗１０２を開く際、その減速を行う開側ダンパ機構３１として機能する。本形態において、摺動部材２１３、３１３はＮＢＲなどのゴム製である。なお、円筒状被摺動面６０５、６０９には、摩擦状態の安定化と耐久性向上のため、僅かなグリス、オイル等を塗布してある。
【００３５】
閉側ダンパ機構２１において、歯車２１０は、ピニオンがラック７０４と噛み合い、制動歯車２１１に回転力を増速伝達する。その結果、制動歯車２１１の回転によって、ウエイト２１２が支軸２１４を中心に遠心力で回転して、図３（ｂ）に矢印Ａで示すように拡径する。そして、摺動部材２１３が円筒状被摺動面６０５を摺動し、そのときの摩擦力が制動力を発揮する。開側ダンパ機構３０においても、閉側ダンパ機構２１と同様に、歯車３１０は、ピニオンがラック１４０と噛み合い、制動歯車３１１に回転力を増速伝達する。その結果、制動歯車３１１の遠心力によって、ウエイト３１２が支軸を中心に回転して、図３（ｂ）に矢印Ａで示すよう拡径する。そして、摺動部材３１３が円筒状被摺動面６０５を摺動し、そのときの摩擦力が制動力を発揮する。
【００３６】
ここで、閉側ダンパ機構２１では、図３（ｂ）に示すように、ウエイト２１２が縮径状態と拡径状態との切り換わる際の支軸２１４（支点）からみて、ウエイト２１２における摺動部材２１３の円筒状被摺動面６０５との接触位置は、ウエイト２１２の重心位置Ｗと同一の側にあって、かつ、支軸２１４からウエイト２１２における摺動部材２１３と円筒状被摺動面６０５との接触位置までの距離が、支軸２１４からウエイト２１２の重心位置Ｗまでの距離よりも短い。しかも、抽斗１０２が閉方向に移動するときの制動歯車２１１の回転方向Ｓ１に沿って、支軸２１４、接触位置（摺動部材２１３）、および重心位置Ｗがこの順に配置されている。このため、閉側ダンパ機構２１では、抽斗１０２が閉方向（回転方向Ｓ１）に移動する際には、接触位置と重心位置Ｗが逆の場合に比べ摩擦角が小さく、安定した摺動接触状態となるので、このような食いつき方向の接触では大きな摩擦力が発生する。なお、抽斗１０２が開方向（回転方向Ｏ１）に移動する際には、逃げ方向の接触となるので、小さな摩擦力しか発生しない。
【００３７】
開側ダンパ機構３１では、閉側ダンパ機構２１と同様に、ウエイト３１２が縮径状態と拡径状態との切り換わる際の支軸３１４（支点）からみて、ウエイト３１２における摺動部材３１３の円筒状被摺動面６０９との接触位置は、ウエイト３１２の重心位置Ｗと同一の側にあって、かつ、支軸からウエイト３１２における摺動部材３１３と円筒状被摺動面６０９との接触位置までの距離が、支軸からウエイト３１２の重心位置までの距離よりも短い。しかも、抽斗１０２が閉方向に移動するときの制動歯車３１１の回転方向Ｏ２に沿って、支軸３１４、接触位置（摺動部材３１３）、および重心位置Ｗがこの順に配置されている。このため、開側ダンパ機構３０では、抽斗１０２が開方向（回転方向Ｏ２）に移動する際には、接触位置と重心位置Ｗが逆の場合に比べ摩擦角が小さく、安定した摺動接触状態となるので、このような食いつき方向の接触では大きな摩擦力が発生する。なお、抽斗１０２が閉方向（回転方向Ｓ２）に移動する際には、逃げ方向の接触となるので、小さな摩擦力しか発生しない。
【００３８】
（動作）
図５、図６および図７はいずれも、本発明を適用した開閉補助装置の動作を示すケース５を取り除いた状態での平面図である。
【００３９】
本形態の開閉補助装置２および家具１において、抽斗１０２が完全に閉まっているときの状態は、図２（ａ）に示すように表され、フック４００は軸７０５に係合している。この状態で、２本の閉用バネ１３は縮んだ状態にある。
【００４０】
この状態から抽斗１０２がわずかに開方向に引き出されたとき、フック４００が軸７０５に係合しているので、閉側トリガ部材７は、家具本体１０１の側に保持されているが、ハウジング４が抽斗１０２と連動してわずかに開方向に移動する。その際、閉側トリガ部材７と抽斗１０２が相対移動するため、歯車２１０および制動歯車２１１が回転し、ウエイト２１２と摺動部材２１３も連動して回転するが、この回転は、ウエイト２１２と摺動部材２１３の逃げ方向（図３（ｂ）の回転方向Ｏ１）の回転であるため、大きな制動力とならず、スムーズに回転する。また、ストッパ８の軸８０４がスライドガイド溝７０２に嵌りこんでいるため、抽斗１０２の移動距離に応じて僅かに回転しながら連動するが、負荷はほとんど発生しない。なお、開側ダンパ機構３０は作動しない。
【００４１】
この状態から、図５（ａ）に示す状態まで抽斗１０２が開方向に移動すると、２本の閉用バネ１３はさらに引き伸ばされる。また、ストッパ８の軸８０４がスライドガイド溝５０２、６０２に沿って動くとともに、軸８０４はスライドガイド溝５０２、６０２の端部では、Ｌ字形状のカム形状に沿って動くため、ストッパ８は、ストッパ支持軸７０７を中心に時計周りＣＷに回転する。その結果、ストッパ８のカム部８０７が、フック先端４１５を押し上げ、図５（ｂ）、（ｃ）に示すように、フック先端４１５は軸７０５から外れるとともに、軸７０５が略Ｕ字状の端部８０３に入り込む。この状態で、ストッパ８の軸８０４は、閉用バネ１３の力でスライドガイド溝５０２、６０２のＬ字状の端部に入り込んだ状態にあるので、ストッパ８は、閉用バネ１３の変形を阻止する。それ故、閉用バネ１３の変形状態が保持され、縮まらない。このような切換機構２２において、フック４００と軸７０５とが係合が解除されるタイミングと、閉用バネ１３の変形状態を保持するタイミングとの間には遊びがなく、これらの動作は略同時に行われる。
【００４２】
それ以降、抽斗１０２は、レール１０４に沿って自由に移動するが、その際、ハウジング４および閉側トリガ部材７は、図６（ａ）に示すように、抽斗１０２とともに開側に移動する。
【００４３】
この状態から、さらに抽斗１０２を開方向に引き出すと、図６（ｂ）に示すように、開側トリガ部材１４の先端部が、レール１０４の端部などといった家具本体１０１側に突き当たる。従って、さらに抽斗１０２を開方向に引き出そうとすると、図６（ｃ）に示すように、制動バネ１５を縮めながら開側トリガ部材１４が引っ込む。その間の動作は、ラック１４０および歯車３１０のピニオンを介して制動歯車３１１に伝達され、制動歯車３１１が反時計周りＣＣＷ（図３（ｂ）の回転方向Ｏ２）に回転する。その結果、図３（ｂ）を参照して説明したように、制動歯車３１１の回転によって、ウエイト３１２が支軸３１４を中心に遠心力で回転して、矢印Ａで示すように拡径し、摺動部材３１３が円筒状被摺動面６０５を摺動する。そのときの摩擦力が制動力となるので、抽斗１０２は衝撃は吸収され、静かに開くことになる。抽斗１０２は制動バネ１５により閉方向に動くことがない程度に調整されている。
【００４４】
この状態から今度は抽斗１０２を閉方向に押し込むと、図７（ａ）に示すように、開側トリガ部材１４は、制動バネ１５に付勢されて徐々に突き出てくる。その際、歯車３１０、制動歯車３１１、およびウエイト３１２も連動するが、逃げ方向（図３（ｂ）の回転方向Ｓ２）に回転するため大きな制動力とならず、スムーズに回転する。この時点では、閉駆動装置２０は動作しない。
【００４５】
次に、抽斗１０２を閉方向に押し込むと、軸７０５がフック４００を押し上げ、図７（ｂ）に示すように、フック先端４１５とストッパ８の下面に形成されているカム部８０７と当たる。さらに、抽斗１０２を閉方向に押し込むと、フック当接カム７０６が軸４１１を押し下げる。このため、フック先端４１５がストッパ８をストッパ支持軸７０７を中心に反時計周りＣＣＷに回転させ、ストッパ８の軸８０４をスライドガイド溝５０２、６０２のＬ字状端部内をから脱出させ、軸７０５からストッパ８の端部８０３を外す。従って、ストッパ８は、閉用バネ１３を開放し、閉用バネ１３は縮み始めるので、図２（ａ）に示すように、フック４００と軸７０５とが係合し、閉用バネ１３は、ハウジング４を閉側に付勢する。それ故、抽斗１０２は自動的に閉方向に駆動される。その際、軸７０５からストッパ８の端部８０３が外れるので、ストッパバネ９は僅かに縮む。このような切換機構２２において、フック４００と軸７０５とが係合するタイミングと、閉用バネ１３を開放するタイミングとの間には遊びがなく、これらの動作は略同時に行われる。
【００４６】
その間の動作は、ラック７０４および歯車２１０のピニオンを介して制動歯車２１１に伝達され、制動歯車２１１が時計周りＣＷ（図３（ｂ）の回転方向Ｓ１）に回転する。その結果、図３（ｂ）を参照して説明したように、制動歯車２１１の回転によって、ウエイト２１２が支軸２１４を中心に遠心力で回転して、矢印Ａで示すように拡径し、摺動部材２１３が円筒状被摺動面６０５を摺動する。そのときの摩擦力が制動力を発揮する。それ故、抽斗１０２は静かに完閉位置まで移動する。
【００４７】
（本形態の主な効果）
以上説明したように、本形態の開閉補助装置２および家具１では、抽斗１０２を閉じる際に、制動歯車２１２が回転すると、その遠心力によって、ウエイト２１３が拡径して摺動部材２１３が円筒状被摺動面６０５に接触する。このため、抽斗１０２は、摺動部材２１３と円筒状被摺動面６０５との間に発生する摩擦力により減速するので、抽斗１０２を静かに閉めることができる。従って、本形態によれば、このような減速を行うのに、回転ガバナ方式の第１のダンパ機構２１を採用したので、オイルダンパを利用した場合と違って、小型、薄型で安価である。それ故、開閉補助装置２を配置したことによるデッドスペースを狭くでき、かつ、コストの低減を図ることができる。しかも、摺動部材２１３と円筒状被摺動面６０５との間に発生する摩擦力を利用するので、オイルダンパを利用した場合と違って、環境温度が変化しても使用感が変動しない。
【００４８】
また、閉側トリガ部材７の両側の各々に閉用バネ１３としてコイルバネを配置したので、バネスペースを充分大きく取れ、重い抽斗１０２から軽い抽斗１０２まで対応力が広く、閉側トリガ部材７と抽斗１０２とが傾くことがないように安定して動作させることができる。従って、開閉補助装置２は、抽斗１０２の幅方向における略中央位置のうち、抽斗１０２の底面側に１つ、配置すればよい。それ故、抽斗１０２を安定して動作させることができるとともに、開閉補助装置２を狭い空間内に配置でき、かつ、低コスト化を図ることができる。
【００４９】
［その他の実施の形態］
上記形態では、家具１の可動部分として抽斗１０１を例に説明したが、扉などを開閉するための開閉補助装置に本発明を適用してもよい。また、上記形態では、ダンパ機構に用いた可動片部は、ウエイトと摺動部材とから構成されていたが、これらが一体の部品を用いてもよい。例えば、図８に示す円盤部材２１５、３１５において、円環部分２１６、３１６に対して括れ部分２１７、３１７を介して円弧状の可動片部２１８、３１８が連結されており、これらの可動片部２１８、３１８の外周縁の各々に対して、円弧状に外側に突き出た接触部２１９、３１９を形成してもよい。このように構成した円盤部材２１５、３１５では、遠心力によって可動片部２１８、３１８が縮径状態と拡径状態との切り換わる際の支点（括れ部分２１７、３１７）からみて、接触部２１９、３１９の位置は、可動片部２１８、３１８の重心位置Ｗと同一の側にあって、かつ、括れ部分２１７、３１７から接触部２１９、３１９までの距離が、括れ部分２１７、３１７から可動片部２１８、３１８の重心位置Ｗまでの距離よりも短い。しかも、ダンパ機構が大きな摩擦力を発生させるべき方向（回転方向Ｓ１、Ｏ２）に沿って、括れ部分２１７、３１７、接触部２１９、３１９、および重心位置Ｗがこの順に配置されている。
【００５０】
また、上記形態では、ウエイトと摺動部材は回転中心に対して２個配置したが、回転バランスの取れた複数個を配置しても良い。また、動作音の発生が生じる部分には軟質材を配置して、衝撃音を吸収するのは言うまでもない。また、抽斗の移動距離と固定側のフックの位置は用途により様々であるが、このような移動距離やフックの位置の変更に対して、プレート４０５の取付け長さを可変にした構造や抽斗１０２へのハウジング４の取付位置などで対応することできる。
【図面の簡単な説明】
【００５１】
【図１】（ａ）、（ｂ）、（ｃ）はそれぞれ、本発明を適用した開閉補助装置を備えた家具の平面的なレイアウトを示す横断面図、この家具において可動部分としての抽斗を閉めた状態における縦断面図、および抽斗を開いた状態における縦断面図である。
【図２】（ａ）、（ｂ）、（ｃ）、（ｄ）はそれぞれ、本発明を適用した開閉補助装置の平面的なレイアウトを示す説明図、側面図、縦断面図、および開側ダンパ機構を通る位置で切断したときの縦断面図である。
【図３】（ａ）、（ｂ）は、本発明を適用した開閉補助装置に用いたダンパ機構の縦断面図および底面図である。
【図４】本発明を適用した開閉補助装置に用いたダンパ機構の分解斜視図である。
【図５】（ａ）、（ｂ）、（ｃ）はいずれも、本発明を適用した開閉補助装置の動作を示すケースを取り除いた状態での平面図である。
【図６】（ａ）、（ｂ）、（ｃ）はいずれも、本発明を適用した開閉補助装置の動作を示すケースを取り除いた状態での平面図である。
【図７】（ａ）、（ｂ）、（ｃ）はいずれも、本発明を適用した開閉補助装置の動作を示すケースを取り除いた状態での平面図である。
【図８】本発明を適用した開閉補助装置に用いたダンパ機構の可動片部の変形例を示す説明図である。
【符号の説明】
【００５２】
１  家具
２  開閉補助装置
７  閉側トリガ部材
１３  閉用バネ
１４  開側トリガ部材
２０  閉駆動装置
２１  閉側ダンパ機構
２２  切換機構
３０  開側ダンパ機構
２１１、３１１  制動歯車（回転体）
２１２、３１２  ウエイト（可動片部）
２１４、３１４  支軸（支点）
２１７、３１７  括れ部分（支点）
２１８、３１８  可動片部
２１９、３１９  接触部
６０５、６０９  円筒状被摺動面（被摺動部）
１０１  家具本体
１０２  抽斗
４００  フック（係合部）
【図１】
2006311964.tif 000003
【図２】
2006311964.tif 000004
【図３】
2006311964.tif 000005
【図４】
2006311964.tif 000006
【図５】
2006311964.tif 000007
【図６】
2006311964.tif 000008
【図７】
2006311964.tif 000009
【図８】
2006311964.tif 000010